【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
イオン流体を受け取るためのドレッシングにおいて、
組織部位と流体連通するように配置され、かつイオン流体を受け取って少なくとも一時的に保持する吸収層であって、第１の側面および第２の患者対面側面を有する吸収層と；
前記吸収層を覆うためのシール部材と；
前記吸収層に関連付けられた第１のガルバニ電池であって、前記第１のガルバニ電池に近接した前記吸収層が前記イオン流体で実質的に飽和状態にされると、電圧を生成するように構成された第１のガルバニ電池と
を含むことを特徴とする、ドレッシング。
【請求項２】
請求項１に記載のドレッシングにおいて、前記ガルバニ電池が：
前記吸収層の一部分と流体連通する第１の電極および第２の電極であって、互いに離間している第１の電極および第２の電極と；
前記第１の電極に結合された第１の導線と；
前記第２の電極に結合された第２の導線と；
を含み、
前記第１の電極および前記第２の電極が、前記イオン流体が前記第１の電極および前記第２の電極を覆うと、測定可能な電力を生成するように構成されていることを特徴とする、ドレッシング。
【請求項３】
請求項２に記載のドレッシングにおいて、前記第１の電極が銅を含み、前記第２の電極が錫を含むことを特徴とする、ドレッシング。
【請求項４】
請求項２に記載のドレッシングにおいて、前記第１の電極が銅を含み、前記第２の電極が錫を含み、および前記イオン流体が患者からの滲出液を含むことを特徴とする、ドレッシング。
【請求項５】
請求項２に記載のドレッシングにおいて、前記第１の電極が銅を含み、前記第２の電極が亜鉛を含むことを特徴とする、ドレッシング。
【請求項６】
請求項１または請求項１乃至５の何れか１項に記載のドレッシングにおいて、前記吸収層に関連付けられ、かつ前記ドレッシングの前記吸収層の飽和度に比例した電力をもたらすように構成された複数のガルバニ電池をさらに含むことを特徴とする、ドレッシング。
【請求項７】
請求項１または請求項１乃至６の何れか１項に記載のドレッシングにおいて、無線通信・電力サブシステムをさらに含むことを特徴とする、ドレッシング。
【請求項８】
減圧を用いて患者の組織部位を治療するシステムにおいて、
前記組織部位に近接して配置される吸収層と；
前記ドレッシングと前記患者の表皮の一部とを覆って流体シールを形成するシール部材と；
前記吸収層に流体的に結合されて前記吸収層に減圧をもたらす減圧源と；
前記吸収層に関連付けられたガルバニ電池であって、前記ガルバニ電池に近接した前記吸収層がイオン流体で実質的に飽和状態にされると、電力を生成するように構成されたガルバニ電池と；
前記ガルバニ電池に電気的に結合されて前記ガルバニ電池から電力を受け取る監視ユニットと
を含むことを特徴とする、システム。
【請求項９】
請求項８に記載のシステムにおいて、前記監視ユニットがコンパレータ回路であることを特徴とする、システム。
【請求項１０】
請求項８に記載のシステムにおいて、前記監視ユニットが、マイクロプロセッサに結合されたアナログ・デジタル変換器を含み、前記マイクロプロセッサが、前記電力が電力閾値に達すると、警報信号を発生するように構成されていることを特徴とする、システム。
【請求項１１】
請求項８または請求項９乃至１０の何れか１項に記載のドレッシングにおいて、前記ガルバニ電池が：
前記吸収層の一部分と流体連通する第１の電極および第２の電極であって、互いに離間している第１の電極および第２の電極と；
前記第１の電極に結合された第１の導線と；
前記第２の電極に結合された第２の導線と
を含み、
前記第１の電極および前記第２の電極が、前記イオン流体が前記第１の電極および前記第２の電極を覆うと、測定可能な電力を生成するように構成されていることを特徴とする、ドレッシング。
【請求項１２】
請求項８に記載のドレッシングにおいて、前記第１の電極が銅を含み、前記第２の電極が錫を含むことを特徴とする、ドレッシング。
【請求項１３】
請求項８に記載のドレッシングにおいて、前記第１の電極が銅を含み、前記第２の電極が錫を含み、および前記イオン流体が患者からの滲出液を含むことを特徴とする、ドレッシング。
【請求項１４】
請求項８に記載のドレッシングにおいて、前記第１の電極が銅を含み、前記第２の電極が亜鉛を含むことを特徴とする、ドレッシング。
【請求項１５】
請求項８または請求項９乃至１１の何れか１項に記載のドレッシングにおいて、前記吸収層に関連付けられ、かつ前記ドレッシングの前記吸収層の飽和度に比例した電力を生成するように構成された複数のガルバニ電池をさらに含むことを特徴とする、ドレッシング。
【請求項１６】
請求項８または請求項９乃至１５の何れか１項に記載のドレッシングにおいて、前記監視ユニットが、電子検出装置および無線通信・電力サブシステムを含むことを特徴とする、ドレッシング。
【請求項１７】
患者の組織部位を治療するためのドレッシングにおいて、
前記組織部位と流体連通するように配置される吸収層であって、イオン流体を受け取って保持し、第１の側面および第２の患者対面側面を有する吸収層と；
前記吸収層を覆うためのシール部材と；
前記吸収層に流体的に結合され、かつ第１の端子、第２の端子、および少なくとも１つの導電性ギャップを有する導電性ループであって、前記導電性ギャップが、前記イオン流体で覆われると電気的に橋絡されるようなサイズおよび構成にされている、導電性ループと
を含むことを特徴とする、ドレッシング。
【請求項１８】
患者の組織部位を治療するためのドレッシングにおいて、
前記組織部位と流体連通するように配置される吸収層であって、流体を受け取って保持し、第１の側面および第２の患者対面側面を有する吸収層と；
前記吸収層に関連付けられた染料であって、濡れると光学特性を変化させるように機能する染料と；
前記吸収層の前記第１の側面を覆うためのシール部材と；
前記吸収層に関連付けられ、かつ前記染料の光学特性の変化を検出して、前記変化を感知すると電気信号を生成するように構成された電気光学センサと
を含むことを特徴とする、ドレッシング。
【請求項１９】
イオン流体を受け取るためのドレッシングにおいて、
前記組織部位と流体連通するように配置されてイオン流体を受け取る治療マニホールドであって、第１の側面および第２の患者対面側面を有する治療マニホールドと；
前記治療マニホールドの前記第１の側面を覆うためのシール部材と；
前記治療マニホールドに関連付けられ、かつ前記第１のガルバニ電池に近接した前記治療マニホールドが前記イオン流体で実質的に飽和状態にされると、電圧を生成するように構成された第１のガルバニ電池と
を含むことを特徴とする、ドレッシング。
【請求項２０】
減圧治療システムにおいて、
組織部位と流体連通するように配置されてイオン流体を受け取る治療マニホールドであって、第１の側面および第２の患者対面側面を有する治療マニホールドと；
前記治療マニホールドの前記第１の側面を覆うためのシール部材と；
前記シール部材と前記治療マニホールドとの間に配置された吸収層と；
前記吸収層に関連付けられ、少なくとも十分に飽和した状態を示す電気信号を生成する電子検出装置と；
無線通信・電力サブシステムであって：
前記電子検出装置に関連付けられたアンテナ・通信・処理ユニット、および
前記アンテナ・通信・処理ユニットに電力を伝送し、かつそこから信号を受信するように構成された遠隔無線通信・電力ユニット
を含む無線通信・電力サブシステムと
を含むことを特徴とする、減圧治療システム。
【請求項２１】
組織部位の治療用ドレッシングにおいて、
治療中の前記組織に隣接して配置する組織ドレッシング部材と；
前記組織ドレッシング部材上のまたはその内部のある箇所における液体の有無を検出する少なくとも１つの液体センサと
を含むことを特徴とする、ドレッシング。
【請求項２２】
請求項２１に記載のドレッシングにおいて、前記ドレッシング部材が治療マニホールドを含むことを特徴とする、ドレッシング。
【請求項２３】
請求項２１または２２に記載のドレッシングにおいて、前記ドレッシング部材が吸収部材を含むことを特徴とする、ドレッシング。
【請求項２４】
請求項２１乃至２３の何れか１項に記載のドレッシングにおいて、前記組織ドレッシング部材を覆うシール部材をさらに含むことを特徴とする、ドレッシング。
【請求項２５】
請求項２１乃至２４の何れか１項に記載のドレッシングにおいて、前記少なくとも１つの液体センサがガルバニ電池であることを特徴とする、ドレッシング。
【請求項２６】
請求項２１乃至２４の何れか１項に記載のドレッシングにおいて、前記少なくとも１つの液体センサが選択的に導電性ループであり、前記ループが、前記ループの表面に接触するイオン液体によって橋絡され得る空間を有する導電材料を含み、それにより前記ループを電気的に完成することを特徴とする、ドレッシング。
【請求項２７】
請求項２１乃至２４の何れか１項に記載のドレッシングにおいて、前記組織ドレッシング部材の光学特性が、液体を吸収すると変化するように構成され、および前記センサが、その変化を検出する光学センサであることを特徴とする、ドレッシング。
【請求項２８】
請求項２７に記載のドレッシングにおいて、前記光学特性が色であることを特徴とする、ドレッシング。
【請求項２９】
請求項２１乃至２８の何れか１項に記載のドレッシングにおいて、複数のセンサを含むことを特徴とする、ドレッシング。
【請求項３０】
請求項２１乃至２９の何れか１項に記載のドレッシングにおいて、前記少なくとも１つのセンサが、前記組織ドレッシングの表面上に配置されることを特徴とする、ドレッシング。
【請求項３１】
請求項２１乃至２９の何れか１項に記載のドレッシングにおいて、前記少なくとも１つのセンサが前記組織ドレッシング内に配置されることを特徴とする、ドレッシング。
【請求項３２】
請求項２７または２８に記載のドレッシングにおいて、前記センサが、前記組織ドレッシング部材を覆うシール部材の外側に配置されることを特徴とする、ドレッシング。
【請求項３３】
請求項２１乃至２９の何れか１項に記載のドレッシングにおいて、前記組織部位の減圧を行うために、前記ドレッシングと共に配置されたポンプをさらに含むことを特徴とする、ドレッシング。
【請求項３４】
創傷治療システムにおいて、
請求項２１乃至３３の何れか１項に記載のドレッシングと；
前記少なくとも１つの液体センサに電気的に接続され、かつ前記少なくとも１つの液体センサによる液体の検出の表示をもたらすように構成された監視装置と
を含むことを特徴とする、創傷治療システム。